(57)【特許請求の範囲】
【請求項１】
写真感光材料に記録された画像の読み取られる部分の大きさと読み取られた画像のプリント時のプリント面上の大きさとの比であるプリント倍率を設定する設定手段と、
前記設定手段により設定されたプリント倍率に基づいて前記写真感光材料の画像を読み取るための読取条件を算出する算出手段と、
前記算出手段により算出された読取条件に従って前記写真感光材料の画像を読み取る読取手段と、
を備えた画像読取装置であって、
前記算出手段により算出された読取条件に基づいて、前記読取手段による読み取りが適正に完了するか否かを判断する判断手段と、
前記判断手段により前記読取手段による読み取りが適正に完了しないと判断された場合にエラー表示する表示手段と、
を更に備えた画像読取装置。
【請求項２】
写真感光材料に記録された画像の読み取られる部分の大きさと読み取られた画像のプリント時のプリント面上の大きさとの比であるプリント倍率を設定する設定手段と、
前記設定手段により設定されたプリント倍率に基づいて前記写真感光材料の画像を読み取るための読取条件を算出する算出手段と、
前記算出手段により算出された読取条件に従って前記写真感光材料の画像を読み取る読取手段と、
を備えた画像読取装置であって、
前記算出手段は、プリント倍率に応じた光学倍率に応じたレンズＦナンバ、光学倍率に応じた基本蓄積時間、プリント倍率と光学倍率に応じた基本蓄積時間とに応じた基本副走査速度、基本蓄積時間及び基本副走査速度に応じた読取周期、基本蓄積時間及び読取周期等に応じて求めた調光量に応じた光源絞り値、及び、読取周期及び光源絞り値に応じた蓄積時間の少なくとも１つを算出することを特徴とする画像読取装置。
【請求項３】
前記写真感光材料の種類を検出する検出手段と、
前記プリント面上の大きさを入力する入力手段と、
を備え、
前記設定手段は、前記検出手段により検出された写真感光材料の種類と前記入力手段により入力された前記プリント面上の大きさとに基づいて前記プリント倍率を設定することを特徴とする請求項１又は請求項２記載の画像読取装置。
【請求項４】
前記写真感光材料に記録された画像の読み取られる部分の大きさを指定する指定手段と、
前記プリント面上の大きさを入力する入力手段と、
を備え、
前記設定手段は、前記指定手段により指定された前記画像の読み取られる部分の大きさと前記入力手段により入力された前記プリント面上の大きさとに基づいて前記プリント倍率を設定することを特徴とする請求項１又は請求項２記載の画像読取装置。
【請求項５】
前記読取手段は、前記写真感光材料の画像を、予備読み取り及び本読み取りし、
前記算出手段は、前記写真感光材料の画像を本読み取りするための読取条件を算出することを特徴とする請求項１乃至請求項４の何れか１項に記載の画像読取装置。
【請求項６】
前記写真フィルムを搬送する搬送手段を備え、前記読取手段は、前記搬送手段により前記写真感光材料が搬送されながら前記画像を読み取ることを特徴とする請求項１乃至請求項４の何れか１項に記載の画像読取装置。
【請求項７】
写真感光材料に記録された画像を読み取って記憶手段に記憶するための予想される画像データ量を設定する設定手段と、
前記設定手段により設定された画像データ量に基づいて前記写真感光材料の画像を読み取るための読取条件を決定する決定手段と、
前記決定手段により決定された読取条件に従って前記写真感光材料の画像を読み取る読取手段と、
を備えた画像読取装置。
【請求項８】
前記設定手段は、前記画像の読み取られる部分の大きさ及び前記画像を表示手段に表示する際の解像度を設定することにより、前記データ量を設定することを特徴とする請求項７記載の画像読取装置。
【発明の詳細な説明】
【０００１】
【発明の属する技術分野】
本発明は、画像読取装置に係り、より詳しくは、写真感光材料の画像を読み取るための読取条件に従って写真感光材料の画像を読み取る画像読取装置に関する。
【０００２】
【従来の技術】
従来より、写真フィルムに記録された画像を予備読取し、予備読取して得られた情報、例えば、画像の濃度に基づいて、該画像を本読み取りするための読取条件を算出し、算出した読取条件に従って、画像を本読み取りする画像読取装置が提案されている。このように画像の濃度等に基づいて読取条件を算出するので、該画像の濃度に応じた良好な読取条件を算出することができる。
【０００３】
【発明が解決しようとする課題】
しかしながら、上記では、画像の濃度等に基づいて読取条件を算出しており、プリント倍率を考慮していない。よって、プリント倍率に応じた適正な光学倍率や読取画素数を適切に設定することができない。即ち、上記読取条件は最適なものではない。
【０００４】
ところで、上記のように写真フィルムに記録された画像が読み取られた場合には、画像データを記憶媒体に記憶し、記憶した画像データを、例えば、ディスプレイに表示する等の種々の用途に使用している。この場合、上記では、画像の大きさ及び解像度等から定まる画像データ量を考慮していない。よって、画像データ量に応じた適正な光学倍率や読取画素数を適切に設定することができない。即ち、上記読取条件は最適なものではない。
【０００５】
本発明は、上記事実に鑑みて成されたもので、最適な読取条件で写真感光材料に記録された画像を読み取ることの可能な画像読取装置を提供することを目的とする。
【０００６】
【課題を解決するための手段】
上記目的達成のため請求項１記載の発明は、写真感光材料に記録された画像の読み取られる部分の大きさと読み取られた画像のプリント時のプリント面上の大きさとの比であるプリント倍率を設定する設定手段と、前記設定手段により設定されたプリント倍率に基づいて前記写真感光材料の画像を読み取るための読取条件を算出する算出手段と、前記算出手段により算出された読取条件に従って前記写真感光材料の画像を読み取る読取手段と、を備えた画像読取装置であって、前記算出手段により算出された読取条件に基づいて、前記読取手段による読み取りが適正に完了するか否かを判断する判断手段と、前記判断手段により前記読取手段による読み取りが適正に完了しないと判断された場合にエラー表示する表示手段と、を更に備えている。
【０００７】
即ち、設定手段は、プリント倍率を設定する。プリント倍率は、写真感光材料に記録された画像の読み取られる部分の大きさと読み取られた画像のプリント時のプリント面上の大きさとの比である。
【０００８】
ここで、写真感光材料の種類を検出する検出手段と、プリント面上の大きさを入力する入力手段と、を備え、設定手段は、検出手段により検出された写真感光材料の種類と入力手段により入力されたプリント面上の大きさとに基づいてプリント倍率を設定するようにしてもよい。
【０００９】
これは、写真感光材料の種類が分かれば、該写真感光材料に記録された画像の読み取られる部分大きさは予め分かり、そして更にプリント面上の大きさが分かれば、プリント倍率を設定することができることに鑑みたものである。
【００１０】
また、写真感光材料に記録された画像の読み取られる部分の大きさを指定する指定手段と、プリント面上の大きさを入力する入力手段と、を備え、設定手段は、指定手段により指定された画像の読み取られる部分の大きさと入力手段により入力されたプリント面上の大きさとに基づいてプリント倍率を設定するようにしてもよい。
【００１１】
なお、上記読み取られる部分の大きさの指定とは、所謂トリミングモードに対応するものである。
【００１２】
また、上記プリント面上の大きさは、複数のプリント面上の大きさの中から所望の大きさを選択することにより入力するようにしてもよい。
【００１３】
算出手段は、設定手段により設定されたプリント倍率に基づいて写真感光材料の画像を読み取るための読取条件を算出し、読取手段は、算出手段により算出された読取条件に従って写真感光材料の画像を読み取る。
【００１４】
このように設定されたプリント倍率に基づいて写真感光材料の画像を読み取るための読取条件を算出し、算出された読取条件に従って写真感光材料の画像を読み取るので、プリント倍率に応じた適正な読取条件に従って写真感光材料の画像を読み取ることができる。
【００１５】
なお、読取手段は、写真感光材料の画像を、予備読み取り及び本読み取りし、算出手段は、写真感光材料の画像を本読み取りするための読取条件を算出するようしてもよい。
【００１６】
また、写真フィルムを搬送する搬送手段を備え、読取手段は、搬送手段により写真感光材料が搬送されながら画像を読み取るようにしてもよい。
【００１７】
更に、算出手段により算出された読取条件に基づいて、読取手段による読み取りが適正に完了するか否かを判断する判断手段と、判断手段により読取手段による読み取りが適正に完了しないと判断された場合にエラー表示する表示手段と、を備えるようにしてもよい。
【００１８】
また、算出手段は、レンズＦナンバ、読取画素数、蓄積時間、副走査速度、照射光量の少なくとも１つを算出するようにしてもよい。即ち、算出手段は、プリント倍率に応じた光学倍率に応じたレンズＦナンバ、光学倍率に応じた基本蓄積時間、プリント倍率及び基本蓄積時間に応じた基本副走査速度、基本蓄積時間及び基本副走査速度に応じた読取周期、基本蓄積時間及び読取周期等に応じて求めた調光量に応じた光源絞り値、及び、読取周期及び光源絞り値等に応じた蓄積時間の少なくとも１つを算出するようにしてもよい。
【００１９】
また、請求項７記載の発明は、写真感光材料に記録された画像を読み取って記憶手段に記憶するための予想される画像データ量を設定する設定手段と、前記設定手段により設定された画像データ量に基づいて前記写真感光材料の画像を読み取るための読取条件を決定する決定手段と、前記決定手段により決定された読取条件に従って前記写真感光材料の画像を読み取る読取手段と、を備えている。
【００２０】
即ち、設定手段は、写真感光材料に記録された画像を読み取って記憶手段に記憶するための予想される画像データ量を設定する。なお、設定手段は、例えば、画像の読み取られる部分の大きさ及び画像を表示手段に表示する際の解像度を設定することにより、データ量を設定する。また、上記画像データ量は、画像データを圧縮して記憶する場合の画像データ量や、画像データを少なくとも１つの縮小率又は少なくとも１つの拡大率で縮小又は拡大した画像データ量としてもよい。
【００２１】
決定手段は、設定手段により設定された画像データ量に基づいて前記写真感光材料の画像を読み取るための読取条件を決定する。そして、読取手段は、決定手段により決定された読取条件に従って前記写真感光材料の画像を読み取る。
【００２２】
このように、写真感光材料に記録された画像を読み取って記憶手段に記憶するための予想される画像データ量に基づいて読取条件を決定するので、読取条件を適正なものにすることができ、画像を適正に読み取ることがてきる。
【００２３】
【発明の実施の形態】
以下、本発明の実施の形態を図面を参照して詳細に説明する。
【００２４】
図１に示すように、本実施の形態に係るラインＣＣＤスキャナ（画像読取装置）１４は、画像処理部１６、マウス２０、２種類のキーボード１２Ａ、１２Ｂ、及びディスプレイ１８が設けられた作業テーブル２７に備えられている。
【００２５】
一方のキーボード１２Ａは作業テーブル２７の作業面２７Ｕ内に埋設されている。他方のキーボード１２Ｂは、不使用時は、作業テーブル２７の引出し２４内に収納され、使用時は、引出し２４から取り出し、一方のキーボード１２Ａ上に重ねる。このとき、キーボード１２Ｂのコードを、画像処理部１６に接続されたジャック１１０に接続する。
【００２６】
マウス２０のコードは作業テーブル２７に設けられた孔１０８を介して画像処理部１６に接続されている。マウス２０は、不使用時はマウスホルダ２０Ａに収納され、使用時はマウスホルダ２０Ａから取り出し、作業面２７Ｕ上に載置する。
【００２７】
画像処理部１６は、作業テーブル２７に設けられた収納部１６Ａに収納され、開閉扉２５によって密閉されている。なお、開閉扉２５を開放することにより、画像処理部１６を取り出すことができるようになっている。
【００２８】
ラインＣＣＤスキャナ１４は、ネガフィルムやリバーサルフィルム等の写真フィルム等の写真感光材料に記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１４は、上記の読取対象のフィルム画像をラインＣＣＤで読み取り、画像データを出力する。
【００２９】
ここで、写真フィルムとは、被写体を撮影後、現像処理され、ネガ画像又はポジ画像が可視化されたフィルムをいう。
【００３０】
画像処理部１６は、ラインＣＣＤスキャナ１４から出力された画像データが入力されると共に、入力された画像データに対して各種の補正等の画像処理を行って、記録用画像データとして、図示しないレーザプリンタ部へ出力する。
【００３１】
図２及び図３に示すように、ラインＣＣＤスキャナ１４の光学系は、作業テーブル２７の下方に配置された光源部３０、作業テーブル２７に支持された拡散ボックス４０、作業テーブル２７にセットされるフィルムキャリア３８、及び作業テーブル２７を挟んで光源部３０の反対側に配置された読取部４３を備えている。
【００３２】
光源部３０は金属製のケーシング３１内に収容されており、ケーシング３１内部には、ハロゲンランプやメタルハライドランプ等から成るランプ３２が配置されている。
【００３３】
ランプ３２の周囲にはリフレクタ３３が設けられており、ランプ３２から射出された光の一部はリフレクタ３３によって反射され、一定の方向へ射出される。リフレクタ３３の側方には、複数のファン３４が設けられている。ファン３４はランプ３２が点灯している間作動され、ケーシング３１の内部が過熱状態となることを防止する。
【００３４】
リフレクタ３３の光射出側には、リフレクタ３３からの射出光の光軸Ｌに沿って、紫外域及び赤外域の波長の光をカットすることで写真フィルム２２の温度上昇を防止し読取精度を向上させるＵＶ／ＩＲカットフィルタ３５、ランプ３２からの光及びリフレクタ３３からの射出光の光量を調整する絞り３９、及び、写真フィルム２２及び読取部４３に到達する光の色成分を、写真フィルムの種類（ネガフィルム／リバーサルフィルム）に応じて適切に設定するネガフィルム用のバランスフィルタ３６Ｎ及びリバーサルフィルム用のバランスフィルタ３６Ｐが嵌め込まれているターレット３６（図４（Ｂ）も参照）が順に設けられている。
【００３５】
絞り３９は光軸Ｌを挟んで配置された一対の板材（絞り板）から成り、一対の板材が接近離間するようにスライド移動可能とされている。図４（Ａ）に示すように、絞り３９の一対の板材は、スライド方向に沿った一端側から他端側に向けて、スライド方向に直交する方向に沿った断面積が連続的に変化するように、一端側に切り欠き３９Ａが各々形成されており、切り欠き３９Ａが形成されている側が対向するように配置されている。
【００３６】
上記構成では、所望の光成分の光となるように、写真フィルムの種類に応じたフィルタ（３６Ｎ、３６Ｐ）の何れが光軸Ｌ上に位置し、絞り３９の位置によって絞り３９を通過する光の光量を所望の光量に調整する。
【００３７】
拡散ボックス４０は、上部になるに従って、即ち、写真フィルム２２に近づくに従って、フィルムキャリア３８によって搬送される写真フィルム２２の搬送方向の長さが狭くなり（図２参照）、該搬送方向に直交する方向（写真フィルム２２の幅方向）の長さが広がる（図３参照）形状とされている。また、拡散ボックス４０の光入射側及び光射出側には光拡散板（図示せず）が各々取付けられている。なお、上記の拡散ボックス４０は、１３５サイズの写真フィルム用であるが、他の写真フィルムに応じた形状の拡散ボックス（図示せず）も用意されている。
【００３８】
拡散ボックス４０に入射された光は、フィルムキャリア３８（すなわち写真フィルム２２）に向けて、写真フィルム２２の幅方向を長手方向とするスリット光とされ、また、光拡散板によって拡散光とされて射出される。このように、拡散ボックス４０から射出される光が拡散光とされることにより、写真フィルム２２に照射される光の光量むらが低減され、フィルム画像に均一な光量のスリット光が照射されると共に、フィルム画像に傷が付いていたとしても、この傷が目立ちにくくなる。
【００３９】
フィルムキャリア３８及び拡散ボックス４０は、写真フィルム２２の種類毎に用意されており、写真フィルム２２に応じて選択される。
【００４０】
フィルムキャリア３８の上面及び下面における光軸Ｌに対応する位置には、写真フィルム２２の幅方向に写真フィルム２２の幅より長い細長い開口（図示しない）が設けられている。拡散ボックス４０からのスリット光は、フィルムキャリア３８の下面に設けられた該開口を介して写真フィルム２２に照射され、写真フィルム２２の透過光が、フィルムキャリア３８の上面に設けられた該開口を介して、読取部４３に到達する。
【００４１】
ところで、フィルムキャリア３８は、拡散ボックス４０からのスリット光が照射される位置（読取位置）で湾曲するように、写真フィルム２２をガイドする図示しないガイドが設けられている。これにより、読取位置での写真フィルム２２の平面性が確保される。
【００４２】
また、拡散ボックス４０は、上面が上記読取位置に接近するように支持されている。よって、フィルムキャリア３８の装填時にフィルムキャリア３８と拡散ボックス４０が干渉しないように、フィルムキャリア３８の下面には、切り欠け部が設けられている。
【００４３】
なお、フィルムキャリアは、プレスキャン時や、ファインスキャン時におけるこれからファインスキャンするフィルム画像の濃度等に応じた複数の速度で写真フィルム２２を搬送可能なように構成されている。
【００４４】
読取部４３は、ケーシング４４内部に収容された状態で配置されている。ケーシング４４の内部には、上面に、ラインＣＣＤ１１６が取付けられた載置台４７が設けられており、載置台４７からは支持レール４９が複数本垂下されている。支持レール４９には、縮小・拡大等の変倍のために作業テーブル２７と接近離間する方向Ａにスライド移動可能にレンズユニット５０が支持されている。作業テーブル２７には支持フレーム４５が立設されている。載置台４７は、支持フレーム４５に取り付けられたガイドレール４２に、上記変倍やオートフォーカス時に共役長を確保するために作業テーブル２７と接近離間する方向Ｂにスライド移動可能に支持されている。レンズユニット５０は複数枚のレンズから成り、複数枚のレンズの間にはレンズ絞り５１が設けられている。図４（Ｃ）に示すように、レンズ絞り５１は略Ｃ字状に成形された絞り板５１Ａを複数枚備えている。各絞り板５１Ａは光軸Ｌの周囲に均等に配置され一端部がピンに軸支されており、ピンを中心として回動可能とされている。複数枚の絞り板５１Ａは図示しないリンクを介して連結されており、レンズ絞り駆動モータ（後述）の駆動力が伝達されると同一の方向に回動する。この絞り板５１Ａの回動に伴って、光軸Ｌを中心として絞り板５１Ａにより遮光されていない部分（図４（Ｃ）における略星型の部分）の面積が変化し、レンズ絞り５１を通過する光の光量が変化する。
【００４５】
ラインＣＣＤ１１６は、ＣＣＤセル及びフォトダイオード等の光電変換素子が、写真フィルム２２の幅方向に一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。また、各センシング部の近傍には、多数のＣＣＤセルから成る転送部が各センシング部に対応して各々設けられており、各センシング部の各ＣＣＤセルに蓄積された電荷は、対応する転送部を介して順に転送される。
【００４６】
またラインＣＣＤ１１６の光入射側には、ＣＣＤシャッタ５２が設けられている。なお、図４（Ｄ）に示すように、このＣＣＤシャッタ５２にはＮＤフィルタ５２ＮＤが嵌め込まれている。ＣＣＤシャッタ５２は、矢印ｕ方向に回転して、暗補正のためにラインＣＣＤ１１６に入射される光を遮光する全閉状態（ＮＤフィルタ５２ＮＤが嵌め込まれていない部分５２Ｂ等が、光軸Ｌを含む位置５２Ｃに位置する）、通常の読み取りや明補正のためにラインＣＣＤ１１６に光を入射させる全開状態（図４（Ｄ）の位置）、リニアリティ補正のためにラインＣＣＤ１１６に入射される光をＮＤフィルタ５２ＮＤによって減光する減光状態（ＮＤフィルタ５２ＮＤが位置５２Ｃに位置する）の何れかの状態に切り替わる。
【００４７】
図３に示すように、作業テーブル２７には、写真フィルム２２を冷却するための冷却風を生成するコンプレッサ９４が配置されている。コンプレッサ９４により生成された冷却風は、案内管９５によりフィルムキャリア３８の図示しない読取部に案内されて、供給される。これにより、写真フィルム２２の読取部に位置する領域を冷却することができる。なお、案内管９５は、冷却風の流量を検出する、流量センサ９６を貫通している。なお、流量センサに限定されず、冷却風の風速を検出するセンサや圧力を検出する圧力センサを設けるようにしてもよい。
【００４８】
図５に示したラインＣＣＤスキャナ１４の光学系の主要部を参照しながら、ラインＣＣＤスキャナ１４及び画像処理部１６の電気系の概略構成を、図６を用いて説明する。
【００４９】
ラインＣＣＤスキャナ１４は、ラインＣＣＤスキャナ１４全体の制御を司る、マイクロプロセッサ４６を備えている。マイクロプロセッサ４６には、バス６６を介してＲＡＭ６８（例えばＳＲＡＭ）、ＲＯＭ７０（例えば記憶内容を書換え可能なＲＯＭ）が接続されていると共に、ランプドライバ５３、コンプレッサ９４、流量センサ９６、及びモータドライバ４８が接続されている。ランプドライバ５３は、マイクロプロセッサ４６からの指示に応じてランプ３２を点消灯させる。また、写真フィルム２２のフィルム画像の読み取りの際、写真フィルム２２に冷却風を供給するために、マイクロプロセッサ４６は、コンプレッサ９４を稼働させる。なお、流量センサ９６により冷却風の流量が検出され、マイクロプロセッサ４６は、異常を検知する。
【００５０】
また、モータドライバ４８には、ターレット３６のネガフィルム用のバランスフィルタ３６Ｎ及びリバーサルフィルム用のバランスフィルタ３６Ｐの何れかが光軸Ｌに位置するようにターレット３６を図４（Ｂ）矢印ｔ方向に回転駆動するターレット駆動モータ５４、ターレット３６の基準位置（図示しない切り欠け）を検出するターレット位置センサ５５（図４（Ｂ）も参照）が接続されている。モータドライバ４８には、更に、絞り３９をスライド移動させる絞り駆動モータ５６、絞り３９の位置を検出する、絞り位置センサ５７、載置台４７（即ち、ラインＣＣＤ１１６及びレンズユニット５０）をガイドレール４２に沿ってスライド移動させる読取部駆動モータ５８、載置台４７の位置を検出する読取部位置センサ５９、レンズユニット５０を支持レール４９に沿ってスライド移動させるレンズ駆動モータ６０、レンズユニット５０の位置を検出するレンズ位置センサ６１、レンズ絞り５１の絞り板５１Ａを回動させるレンズ絞り駆動モータ６２、レンズ絞り５１の位置（絞り板５１Ａの位置）を検出するレンズ絞り位置センサ６３、ＣＣＤシャッタ５２を全閉状態、全開状態及び減光状態の何れかの状態に切り換えるシャッタ駆動モータ６４、シャッタ位置を検出するシャッタ位置センサ６５、ファン３４を駆動するファン駆動モータ３７が接続されている。
【００５１】
マイクロプロセッサ４６は、ラインＣＣＤ１１６によるプレスキャン（予備読み取り）及びファインスキャン（本読み取り）を行う際に、ターレット位置センサ５５及び絞り位置センサ５７によって検出されるターレット３６及び絞り３９の位置に基づき、ターレット駆動モータ５４によってターレット３６を回転駆動させると共に、絞り駆動モータ５６によって絞り３９をスライド移動させ、フィルム画像に照射される光を調節する。
【００５２】
またマイクロプロセッサ４６は、フィルム画像のサイズやトリミングを行うか否か等に応じてズーム倍率を決定し、フィルム画像が前記決定したズーム倍率でラインＣＣＤ１１６によって読み取られるように、読取部位置センサ５９によって検出される載置台４７の位置に基づき読取部駆動モータ５８によって載置台４７をスライド移動させると共に、レンズ位置センサ６１によって検出されるレンズユニット５０の位置に基づきレンズ駆動モータ６０によってレンズユニット５０をスライド移動させる。
【００５３】
なお、ラインＣＣＤ１１６の受光面をレンズユニット５０によるフィルム画像の結像位置に一致させる合焦制御（オートフォーカス制御）を行う場合、マイクロプロセッサ４６は、読取部駆動モータ５８により載置台４７のみをスライド移動させる。この合焦制御は、一例としてラインＣＣＤ１１６によって読み取られたフィルム画像のコントラストが最大となるように行う（所謂画像コントラスト法）ことができるが、これに代えて写真フィルム２２とレンズユニット５０（又はラインＣＣＤ１１６）との距離を赤外線等により測定する距離センサを設け、フィルム画像のデータに代えて距離センサによって検出された距離に基づいて行うようにしてもよい。
【００５４】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００５５】
Ａ／Ｄ変換器８２の出力端は、相関二重サンプリング回路（ＣＤＳ）８８、インタフェース（Ｉ／Ｆ）回路９０を順に介して画像処理部１６に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００５６】
なお、ラインＣＣＤ１１６からはＲ、Ｇ、Ｂの読取信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に、画像処理部１６に入力される。
【００５７】
更に、画像処理部１６には、前述したディスプレイ１８、キーボード１２Ａ、１２Ｂ、マウス２０、及びフィルムキャリア３８が接続されている。
【００５８】
次に、本実施の形態の作用を説明する。
【００５９】
図７には、本実施の形態に係るラインＣＣＤスキャナ１４のメイン制御ルーチンが示されている。
【００６０】
ディスプレイ１８の初期画面には、複数のプリントサイズ及びプリント種類（フチの有無）が表示されている。オペレータは、マウス又はキー入力により、表示された複数のプリントサイズから所望のプリントサイズ及びプリント種類を選択すると共にフィルムキャリア３８を装填し、装填されたフィルムキャリア３８に写真フィルム２２が挿入されると、フィルムキャリア３８の図示しない写真フィルム識別センサが写真フィルム２２を検知し、フィルムキャリア３８は、自動的に写真フィルム２２の搬送を開始する。
【００６１】
これと同時に、ラインＣＣＤスキャナ１４は、本メイン制御ルーチンをスタートし、ステップ１１０で、最適露光条件を求めるための予備読み取り（以下、プレスキャンという）を行うための準備状態に、各部を移行させ、写真フィルム２２を所定の一定速度で搬送しながらプレスキャンを行い、写真フィルム２２に記録された画像を粗く読み取る。
【００６２】
なお、上記プリントサイズ及びプリント種類を選択は、後述する検定画面の表示の際に行ってもよい。
【００６３】
以下、このプレスキャン処理の詳細を図８に示したプレスキャン処理ルーチンを参照しながら説明する。
【００６４】
ステップ１２２で、フィルムキャリア識別情報を取り込む。即ち、フィルムキャリア３８がラインＣＣＤスキャナ１４に装填されると、フィルムキャリア３８からフィルムキャリア識別信号がラインＣＣＤスキャナ１４に入力される。これによりラインＣＣＤスキャナ１４は、フィルムキャリア３８を識別する情報（フィルムキャリア識別情報）を記憶する。本ステップは、この記憶されたフィルムキャリア識別情報を取り込むものである。
【００６５】
ここで、フィルムキャリア３８には、例えば、１３５サイズの写真フィルムを搬送するためのフィルムキャリアである１３５ＡＦＣ、透明な磁気層が形成された写真フィルム（２４０サイズの写真フィルム：所謂ＡＰＳフィルム）を搬送するためのフィルムキャリアである２４０ＡＦＣ等、種々のタイプがある。フィルムキャリア識別情報は、フィルムキャリア３８が何れのタイプであるかを識別するための情報である。
【００６６】
なお、フィルムキャリア３８が何れのタイプであるかが識別されると、該フィルムキャリアにより搬送される写真フィルムのサイズが定まる。
【００６７】
ステップ１２３で、フィルムキャリア識別情報（即ち、フィルムキャリアのタイプ）に応じて、表１に示したテーブルより、搬送速度、光学倍率、レンズＦ値（レンズＦナンバ）、光源絞り、及び読取周期等の固定パラメータを取得し、かつ、設定する。
【００６８】
【表１】
0003668061.tif 000002
【００６９】
ステップ１２４で、第１の蓄積時間を設定する。即ち、Ｒ、Ｇ、及びＢの各色ともに、蓄積時間を、上記設定した読取周期とする。なお、Ｂゲインは１倍とする。
【００７０】
ステップ１２５で、主走査方向の電子変倍率ＭＥｈを算出する。図１２に示すように、プレスキャンデータのライン数Ｌ（本）は、
0003668061.tif 000003
となる。一方、プレスキャン画像は、プレスキャンデータのラインの内の奇数ラインか偶数ラインのどららかを選択されて得られる。このため、プレスキャン画像のライン数（本）は、Ｌ／２本となる。主走査方向は、プレスキャン画像における画素のアスペクト比が、１：１になる値とする。つまり、プレスキャン画像におけるフィルム上のλmmに相当する画素数は、
（λ／（搬送速度×読取周期））×（１／２）
となる。
【００７１】
電子変倍前のフィルム幅に相当する画素数は、
（フィルム幅）×（光学倍率）÷（画素ピッチ）
であり、電子変倍後のフィルム幅に相当する画素数は、
（フィルム幅）÷（搬送速度）÷（読取周期）÷２
であるから、電子変倍率ＭＥｈは、
ＭＥｈ＝（画素ピッチ）÷（光学倍率）÷（搬送速度）÷（読取周期）÷２
となる。
【００７２】
ここで、１３５ＡＦＣの場合には、
ＭＥｈ＝（0.008 ）÷（0.6 ）÷（0.1900）÷（0.422 ）÷２＝０．０８３
また、２４０ＡＦＣの場合には、
ＭＥｈ＝（0.008 ）÷（0.8 ）÷（0.1585）÷（0.422 ）÷２＝０．０７５
となる。
【００７３】
ステップ１２６で、主走査方向の切り出し画素数を設定する。ここで、主走査方向の切り出し画素数ＩＰｈは、プレスキャンデータ内に、写真フィルムのエッジが確実に入るだけの領域の画素数である必要があり、以下の式から求める。
ＩＰｈ＝（フィルム幅＋ａ）×（光学倍率）÷（画素ピッチ）
ここで、ａは、表２の和以上でなければならない。
【００７４】
【表２】
0003668061.tif 000004
【００７５】
ここで、１３５ＡＦＣ及び２４０ＡＦＣ共に、ａ＝２．０mmとすると、
１３５ＡＦＣの場合には、
ＭＥｈ＝（３５＋２）×（0.6 ）÷（0.008 ）＝２７７５
また、２４０ＡＦＣの場合には、
ＭＥｈ＝（２４＋２）×（0.6 ）÷（0.008 ）＝１９５０
となる。
【００７６】
ステップ１２８で、上記設定された条件に従って各部を制御して、プレスキャンを開始する。即ち、フィルムキャリアは上記搬送速度で写真フィルムを搬送する。上記光学倍率とるなるように読取部駆動モータ５８を制御する。上記レンズＦ値となるようにレンズ駆動モータ６０を制御する。上記光源絞りとなるように絞り駆動モータ５６を制御する。ＣＣＤラインセンサ１１６は、上記蓄積時間で読み取る。
【００７７】
ステップ１３０で、写真フィルムの濃度が所定値より小さいか否かを判断することにより、写真フィルムの濃度が薄いか否かを判断する。写真フィルムの濃度が薄くない場合には、そのままステップ１３８に進み、写真フィルムの濃度が薄い場合には、ステップ１３２で、写真フィルムを初期位置まで逆搬送させ、ステップ１３４で、第２の蓄積時間を設定して、ステップ１３６で、再度プレスキャンを開始する。
【００７８】
ここで、第２の蓄積時間を次のように求める。即ち、明補正により得られているプレスキャン条件での装置光量（濃度）をＤｐｒ、Ｄｐｇ、Ｄｐｂとする。また、光量余裕（濃度）Ｄａｒ、Ｄａｇ、Ｄａｂを表３から得る。
【００７９】
【表３】
0003668061.tif 000005
【００８０】
更に、予めメンテナンス機能により求めておいた絞りテーブルより、光源絞り全開の位置における各色の実行値Ｄｖｒ、Ｄｖｇ、Ｄｖｂを得る。
【００８１】
そして、装置光量（濃度）、光量余裕（濃度）、及び光源絞り全開の位置における実行値に基づいて、第２の蓄積時間ＥＴ１（ｍｓｅｃ）を次式より求める。
ＥＴ１ｒ＝0.422 ×（−ｌｏｇ（Ｄｐｒ−Ｄａｒ＋Ｄｖｒ）
ＥＴ１ｇ＝0.422 ×（−ｌｏｇ（Ｄｐｇ−Ｄａｇ＋Ｄｖｇ）
ＥＴ１ｂ＝0.422 ×（−ｌｏｇ（Ｄｐｂ−Ｄａｂ＋Ｄｖｂ）
なお、Ｂゲインは１倍とする。
【００８２】
ステップ１３８で、写真フィルムの後端が検出された否かを判断し、写真フィルムの後端が検出された場合に、本ルーチンを終了する。これにより、プレスキャンが終了する。
【００８３】
プレスキャンが終了すると、ステップ１１２で、図１３に示すように、仕上がり状態を示す検定画面Ｇ（例えば、ポジ画像）を、ディスプレイ１８に表示する。この検定画面Ｇには、プレスキャンデータから必要な部分を切り出して表示し、そして、表示された必要な部分に、プリントに写る領域を重ねて表示したものである。
【００８４】
ここで、プレスキャンデータから切り出す画像は、例えば、写真フィルム上における表４に示すサイズに相当する領域である。なお、この領域は、操作性の観点から変更可能である。
【００８５】
【表４】
0003668061.tif 000006
【００８６】
なお、プレスキャンデータ上において、フィルム上のλmmに相当する画素数は、λ／（搬送速度×読取周期×２）である。
【００８７】
写真フィルム上におけるプリントに写る領域の大きさは、プリント倍率によっで算出される。
［フチ無しプリントの場合］
プリントに写る領域（mm）＝（プリントサイズ／プリント倍率）
［フチ有りプリントの場合］
プリントに写る領域（mm）＝（（プリントサイズ−フチ）／プリント倍率）
プレスキャン画像におけるプリント上のｘ（mm）に相当する画素数は、
（ｘ／プリント倍率）×（搬送速度×読取周期×２）
で求められる。
【００８８】
そして、上記式を用いて、プリントに写る領域を表示する。
【００８９】
ここで、プリント倍率について説明する。プリント倍率は、写真フィルムに記録された画像の読み取られる部分の大きさと読み取られた画像のプリント時のプリント面上の大きさとの比であり、標準スキャン可能範囲の長さに対する画像のプリント面上の大きさの比である。
【００９０】
写真フィルムの画面上の標準スキャン可能範囲（写真フィルムの画像の読み取られる部分）は、前述したフィルムキャリア識別情報に応じて図１４に示すように、規定される。
【００９１】
写真フィルムの画面上の標準スキャン可能範囲は、主走査方向については、主走査方向の画面の中心を基準にＨmmが、副走査方向については、副走査方向の画面の中心を基準にＬmmが、表５に示すように、設定される。
【００９２】
また、主走査方向の画面の中心は、写真フィルムのエッジから決まった位置である。一方、副走査方向の画面の中心は、画面検出により求めた位置（更に、オペレータにより微調整された位置）である。
【００９３】
【表５】
0003668061.tif 000007
【００９４】
そして、標準的なプリント倍率は、図１５に示すように、標準スキャン可能範囲からはみださない範囲で、最大になるようにした写真フィルム上のスキャンされる領域（写真フィルムの画像の読み取られる部分の大きさ）を用いている。
【００９５】
ここで、フチ無しプリントの場合には、スキャンされる領域は、プリント面の少し外側にはみ出すようマッピングされる（所謂、ケラレが生じる）。そのため、プリントに写る領域ＰＲn は、図１６に示すように、スキャンされる領域ＳＲより、少し狭い範囲になる。スキャンされる領域ＳＲの内、プリントに写る領域ＰＲn でない部分が、所謂、ケラレ部分に相当する。また、図１７に示すように、通常の写真フィルムの画像におけるプリントに写る領域ＰＲ１は、図１６に示すように、スキャンされる領域ＳＲ１より、少し狭い範囲になり、同様に、写真フィルムのパノラマサイズの画像におけるプリントに写る領域ＰＲ２は、図１６に示すように、スキャンされる領域ＳＲ２より、少し狭い範囲になる。
【００９６】
フチ有りプリントの場合には、スキャンされる領域が、プリントのフチの内部の領域にそのままマッピングされる。図１６に示すように、このため、プリントに写る領域ＰＲy とスキャンされる領域ＳＲとは等しくなる。
【００９７】
そして、標準的なプリント倍率は、次のように算出される。なお、フチ有りかフチ無しか、及び、プリントサイズは、前述したようにオペレータにより選択されるものにより定まる。
［フチ無しプリントの場合］
（プリントサイズの長辺長＋ケラレ）／標準スキャン可能範囲の長辺長
及び
（プリントサイズの短辺長＋ケラレ）／標準スキャン可能範囲の短辺長
の内、大きい方の値とする。
［フチ有りプリントの場合］
フチを除いたプリント画面部分の長辺長／標準スキャン可能範囲の長辺長
及び
フチを除いたプリント画面部分の短辺長／標準スキャン可能範囲の短辺長
の内、大きい方の値とする。
【００９８】
但し、上記ケラレは、プリンター部による処理により発生することを前提としている。光学倍率及び電子変倍率により以下の式により実現される。
【００９９】
プリント倍率＝光学倍率×電子変倍率×γ
ここで、
γ＝（出力画素サイズ）／（入力画素サイズ）
である。例えば、
γ＝（２５．４）／（３００）×（１／０．００８）＝１０．５８３
である。
【０１００】
光学倍率は０．６、０．８、１．０、１．２、１．３の何れかの値を取り、電子変倍率は３．１％〜４００．０％の範囲で、０．１％単位で設定できる。よって、プリント倍率の設定単位は、
最大で、１．３×０．００１×１０．５８３＝０．０１３８
最小で、０．６×０．００１×１０．５８３＝０．００６３
の刻み幅となる。標準プリント倍率、及び、トリミング時にユーザが設定する倍率も含め、プリント倍率の単位は０．０１とする。
【０１０１】
但し、標準プリント倍率は、新規にプリントサイズを登録した時に算出する。写真フィルムの種類及びプリントサイズの組み合わせが既にある組み合わせであれば、予め上記のように算出して記憶した標準プリント倍率を用いる。なお、標準プリント倍率の値は、ユーザの微調整によって、変更することができる。
【０１０２】
また、オペレータはディスプレイ１８に表示された検定画面Ｇを検定し、必要に応じて、手動で更に画像の濃度、色等に関して補正をかけ、必要に応じてセンタートリミング作業を行い、読み取り画像範囲の指定を行う。
【０１０３】
ここで、センタートリミングは、プリント倍率を自由に変えることができる機能である。その結果、スキャンされる領域が変化する。但し、写真フィルムの画像がＣＣＤセンサ領域内に結像される範囲で設定が可能である。トリミングの設定方法は、拡縮、移動、回転各々について次のように定められている。即ち、拡縮の場合には、例えば、２つの方法があり、第１に、トリミング枠をマウス又はキー入力にて設定する方法と、第２に、プリント倍率数値を入力する方法と、がある。移動の場合には、マウス又はキー入力にてトリミング枠をを移動する。そして、回転の場合には、マウス又はキー入力にて回転角度を操作する。
【０１０４】
また、プリント倍率微調整も、プリント倍率を自由に変えることができる機能であり、処理としてトリミング処理と同様に行う。この場合、図１８において符号ｘ２で示すように、スキャンされる領域ＳＲが、標準スキャン可能範囲をはみ出すことも可能である。なお、図１８において符号ｘ１で示したものは、スキャンされる領域ＳＲが、標準スキャン可能範囲ＡＳＲをはみ出さない例である。
【０１０５】
このようにして必要な情報を入力すると、ステップ１１４で、ファインスキャン条件を算出する。
【０１０６】
ファインスキャン条件の算出処理を図９に示したファインスキャン条件処理ルーチンを参照して説明する。
【０１０７】
ステップ１４０で、指定されたプリントの種類（フチの有無）により、フチ無しモードか否かを判断する。フチ無しモードであれば、ステップ１４６で、フチ無しモード処理し、フチ無しモードでなければ、ステップ１４２で、フチ有りモードか否かを判断する。フチ有りモードであれば、ステップ１４８で、フチ有りモード処理し、フチ有りモードでもなければ、ステップ１４４で、トリミング対応モードか否かを判断する。トリミング対応モードであれば、ステップ１５０でトリミング対応モード処理し、トリミング対応モードでもなければ、ステップ１５２で、その他のモードを実行する。
【０１０８】
次に、フチ無しモード処理を図１０に示したフチ無しモード処理ルーチンを参照しながら説明する。
【０１０９】
ステップ１５４で、光学倍率ＭＯを算出する。
【０１１０】
即ち、最初に、電子変倍率を１００％とした場合の仮光学倍率ＭＯ１を、以下の式より求める。
ＭＯ１＝ＭＰ÷γ
但し、ＭＰは、上記プリント倍率であり、γは、出力側の１画素と入力側の１画素とのサイズ比であり、
γ＝出力サイズＰ0 ÷入力サイズＰccd ＝（25.4÷300 ）÷0.008 ＝10.583
である。
【０１１１】
なお、光学倍率はある決まった位置に限定して使用する。
【０１１２】
また、電子変倍率は、モアレ等の発生防止に鑑みると１００％より小さいすることが望ましいため、光学倍率はやや大きめにする。
【０１１３】
仮光学倍率ＭＯ１から表６に示したテーブルより光学倍率ＭＯを選択する。
【０１１４】
【表６】
0003668061.tif 000008
【０１１５】
ここで、表６中のパノラマ混在とは、１件の写真フィルム中に、パノラマとそれ以外のサイズが混在していることを指す。パノラマか否かは、オペレータの検定操作によりプリント指示がなされるまで確定しない。このため、１件の最初の駒のファインスキャンを開始する前までに、パノラマ混在か否かを確定することができない。よって、１件の途中までは混在なしで処理し、件の途中かち混在ありで処理を行うケースもある。
【０１１６】
ステップ１５６で、光学倍率ＭＯに応じた絞り値（レンズＦ値）を、表７に示したテーブルより取得する。
【０１１７】
【表７】
0003668061.tif 000009
【０１１８】
ステップ１５８で、主走査方向の電子変倍率ＭＥｈを以下の式より算出する。
【０１１９】
ＭＥｈ＝ＭＰ÷ＭＯ÷γ
ステップ１６０で、主走査方向の切り出し画素数を算出する。
【０１２０】
即ち、最初にプリント内画素ＰＰｈを、以下の式より求める。
【０１２１】
ＰＰｈ＝ＰＳｈ÷Ｐ0
ここで、ＰＳｈは、主走査方向に対応するプリント画像サイズであり、プリントと写真フィルムの長辺と短辺との関係により得られる。また、プリント画像サイズは、スキャンされる画像のサイズと定義する。つまり、フチ無しプリントの場合は、ケラレを加えた値である。なお、後述するフチ有りプリントの場合は、フチの部分を除いた値である。
【０１２２】
そして、プリント内画素ＰＰｈに対して電子変倍ＭＥｈで割ることにより主走査方向の切り出し画素数ＩＰｈを求める。即ち、
ＩＰｈ＝ＰＰｈ÷ＭＥｈ
より求める。
【０１２３】
ステップ１６１で、光学倍率ＭＯに対応して、表８に示したテーブルから、基本蓄積時間を求める。
【０１２４】
【表８】
0003668061.tif 000010
【０１２５】
ステップ１６２で、１ラインの読取時間をＥＴとし、電子変倍率を１００％とした場合の副走査速度（写真フィルムの搬送速度）を求める。即ち、プリント上の１ラインに対応する写真フィルム上の１ラインの長さはＰ0 ÷ＭＰであり、これを読み取る時間がＥＴであるので、副走査速度ＣＳＦ１は、
ＣＳＦ１＝（Ｐ0 ÷ＭＰ）÷ＥＴ×１０００
そして、基本副走査速度ＣＳＦを、表９に示した副走査速度選択テーブルより選択する。
【０１２６】
【表９】
0003668061.tif 000011
【０１２７】
但し、基本副走査速度ＣＳＦは、表１０による上限値の範囲内とする。
【０１２８】
【表１０】
0003668061.tif 000012
【０１２９】
ステップ１６４で、読取周期ＲＣを、以下の式より算出する。
ＲＣ＝ＥＴ×ＣＳＦ１÷ＣＳＫ×０．９
但し、画質の観点から、読取密度が１６００ｄｐｉ以下の場合は、強制的に１６００ｄｐｉになる値に設定する。即ち、
25.4÷（ＣＳｋ×ＲＣ÷１０００）＜１６００
つまり、
ＲＣ＞25.4÷ＣＳｋ×１０００÷１６００
の場合は、
ＲＣ＝25.4÷ＣＳｋ×１０００÷１６００
とする。
【０１３０】
また、算出された読取周期ＲＣが０．４２２を下回った場合は、ＲＣ＝０．４２２とする。
【０１３１】
さらに、読取周期は、１ラインのＦＭへの書き込み時間以上でなければならないため、
ＲＣ＜ＦＭ書き込み時間
の場合は、
ＲＣ＝ＦＭ書き込み時間
とする。
【０１３２】
ＦＭ書き込み時間は、以下の式より求める。但し、少数点第４位を切り下げると共に１割りの安定係数を掛ける。即ち、
0003668061.tif 000013
なお、インデックスメモリへの書き込み速度は、本実施の形態では、ハードウエアーで保証されているため、考慮する必要はない。
【０１３３】
ステップ１６６で、副走査方向の電子倍率を算出する。即ち、入力側のライン間隔は、ＣＳｋ×ＲＣ÷１０００[mm]となり、副走査方向の電子倍率ＭＥｖを、以下の式より算出する。なお、該電子倍率ＭＥｖは、０．１％単位での設定のため、小数点第４位を切り上げて算出する。
ＭＥｖ＝ＭＰ÷（Ｐ0 ÷（ＣＳｋ×ＲＣ÷１０００））
ステップ１６８で、副走査方向の切り出し画素数を算出する。即ち、まず、プリント内画素ＰＰｖを、以下の式より算出する。
ＰＰｖ＝ＰＳｖ÷Ｐ0 
そして、プリント内画素ＰＰｖを副走査方向の電子倍率ＭＥｖで割ることにより、副走査方向の切り出し画素数ＩＰｖを算出する。即ち、
ＩＰｖ＝ＰＰｖ÷ＭＥｖ
ステップ１７０で、光源絞り値を算出する。セットアップ演算結果による最大光量（濃度）をＤxr、Ｄxg、Ｄxbとする。明補正により得られている基本蓄積時間に対応する装置光量（濃度）をＤfr、Ｄfg、Ｄfbとする。読取周期に対応する装置光量（濃度）は、次式となる。但し、小数点第４位を四捨五入する。
Ｄfr１＝Ｄfr×ＲＣ÷ＥＴ
Ｄfg１＝Ｄfg×ＲＣ÷ＥＴ
Ｄfb１＝Ｄfb×ＲＣ÷ＥＴ
調光量（濃度）Ｄvol を、以下の式より算出する。
Ｄvol ＝ＭＩＮ（Ｄfr１−Ｄxr、Ｄfg１−Ｄxg、Ｄfb１−Ｄxb）
そして、表１１に示すテーブルより光源絞り量を求める。
【０１３４】
【表１１】
0003668061.tif 000014
【０１３５】
ステップ１７２で、蓄積時間を算出する。即ち、前述した絞りテーブルより、光源絞り量ＤCNT に該当する各色の実行値Ｄｖｒ、Ｄｖｇ、Ｄｖｂを得る。そして、各蓄積時間ＥＴｈ、ＥＴｈｇ、ＥＴｈｂを、以下の式より求める。
ＥＴｈｒ＝ＲＣ×（−ｌｏｇ（Ｄvol −ＤCNT ＋Ｄｖｒ−ＤCNT ））
ＥＴｈｇ＝ＲＣ×（−ｌｏｇ（Ｄvol −ＤCNT ＋Ｄｖｇ−ＤCNT ））
ＥＴｈｂ＝ＲＣ×（−ｌｏｇ（Ｄvol −ＤCNT ＋Ｄｖｂ−ＤCNT ））
ここで、蓄積時間が読取周期を超える場合は、強席的に読取周期に設定する。即ち、
ＥＴｈｒ＞ＲＣであれば、ＥＴｈｒ＝ＲＣ
ＥＴｈｇ＞ＲＣであれば、ＥＴｈｇ＝ＲＣ
ＥＴｈｂ＞ＲＣであれば、ＥＴｈｂ＝ＲＣ
また、Ｄfb−Ｄxb≦−０．５であれば、Ｂゲインを３倍に設定する。
【０１３６】
以上のファインスキャン条件算出処理により、プリント倍率に応じた光学倍率、この光学倍率に応じてレンズＦ値、プリント倍率及び光学倍率に応じて求めた電子変倍率から切り出し画素数（主走査方向及び副走査方向ともに）、光学倍率に応じた基本蓄積時間、プリント倍率及び基本蓄積時間に応じた基本副走査速度、基本蓄積時間及び基本副走査速度に応じた読取周期、基本蓄積時間及び読取周期等を考慮して求めた調光量（濃度）に応じた光源絞り値、及び、読取周期及び光源絞り値等に応じた蓄積時間を求めている。即ち、プリント倍率に応じてファインスキャン条件を算出している。
【０１３７】
以下に、フチ無しモードにおける代表的な算出結果（１３５ＡＦＣが装填された場合）を説明する。
0003668061.tif 000015
0003668061.tif 000016
なお、以上は、フチ無しモード処理である。ステップ１４８（図９参照）のフチ有りモード及びステップ１５０のトリミングモードも上記と略同様にファインスキャン条件を算出するので、詳細な説明を省略し、異なる部分のみ説明する。
【０１３８】
フチ有りモード処理の場合には、フチ無しモード処理において、以下の２項目を変更するのみである。
【０１３９】
即ち、第１にプリントサイズである。
【０１４０】
前述したように、フチ有りモードにおけるプリントサイズは、仕上がりサイズに対し、フチ量を差し引いた長さ（画像寸法）を計算上のプリントサイズとする。
【０１４１】
例えば、プリントサイズＰＳｘ＝８９ｍｍ、ＰＳｙ＝１２７ｍｍ、フチ量Ｆｈ＝４ｍｍ、Ｆｖ＝４ｍｍ（片側）とすると、計算上のプリントサイズは、
ＰＳｈ＝ＰＳｘ−２×Ｆｈ＝８１ｍｍ
ＰＳｖ＝ＰＳｙ−２×Ｆｖ＝１１９ｍｍ
となる。
【０１４２】
第２に出力ケラレ量である。即ち、ペーパー蛇行、カットバラツキ等の要因（Ｏｘ，Ｏｙ）はＯとなる。
【０１４３】
トリミングモード処理の場合には、トリミング操作により取得したプリント倍率をもとに、光学倍率を優先的に設定し、電子倍率を１００％前後に極力小さく抑える。その他の処理は、フチ無しモード処理のファインスキャン条件の求め方に準ずる。なお、光学倍率は段階的に設定する。例えば、１３５ＡＦＣの場合、０．６、０．８、１．０、１．２、１．３倍の何れかに設定する。但し、大伸ばしの場合、トリミング率があまりにも大きい場合等、プリント倍率がかなり大きくなる場合（目安とし２０倍以上）、プリントは可能とするが、画質上の制約は設けない。
【０１４４】
また、１３５ＡＦＣが装填された場合におけるフチ無しモード処理以外の他のサイズ組み合わせにおける基本蓄積時間は、該フチ無しモード処理（１３５ＡＦＣが装填された場合）の基本蓄積時間ＥＴ0 を基準に、相対的に算出する。
【０１４５】
即ち、光学倍率ＭＯに応じて、表１２に示したレンズ絞りテーブルより、レンズＦ値を取得する。
【０１４６】
【表１２】
0003668061.tif 000017
【０１４７】
ミラーＢｏｘ種類により、光量が変化するため、ミラーＢｏｘの種類により、表１３に示したテーブルにより、下記係数（ＭＢ）を取得する。
【０１４８】
【表１３】
0003668061.tif 000018
【０１４９】
上記３種のパラメータを用いて、基準蓄積時間を、以下のように算出する。
ＥＴ１＝ＥＴ０×（ＬＦ×（１＋ＭＯ））2 ÷（ＬＦ０×（１＋ＭＯ０））2 ÷ＭＢ
ここで、上記フチ無しモード処理においてはＬＦ０＝２．０、ＭＯ０＝０．６である。
【０１５０】
光学倍率に応じて、表１４に示したテーブルより、光量余裕を取得する。
【０１５１】
【表１４】
0003668061.tif 000019
【０１５２】
そして、基本蓄積時間を、以下のように算出する。
ＥＴ＝（ＥＴ１÷１０(KY0-KY)*1000)÷１０００
ここで、ＫＹ０＝１．２０である。
【０１５３】
以上説明のようにファインスキャン条件を算出すると、ステップ１１６（図７参照）で、高濃度読み取りモードに移行が必要か否かを判断する。即ち、上記ファインスキャン条件でファインスキャンしたとしても、適正に画像を読み取ることができないか否かを判断する。例えば、上記基本副走査速度で写真フィルムを搬送すると共に上記光源絞り値に応じて光源絞りを制御しかつ上記蓄積時間で光量を蓄積しても、写真フィルムの画像の濃度が所定値以上の場合であり、適正に画像を読み取ることができない場合には、ステップ１１８で高濃度読み取りモードを実行し、適正に画像を読み取ることができる場合には、ステップ１２０で上記ファインスキャン条件でファインスキャンする。即ち、プレスキャンにより一旦先端まで搬送された写真フィルム２２を、今度は、プレスキャンとは逆方向に搬送しながら、上記ファインスキャン条件に従って、該写真フィルム２２に記録された画像を１駒毎に最適な露光条件（上記ファインスキャン条件）でファインスキャンする。即ち、上記ファインスキャン条件となるように各部（フィルムキャリア、読取部駆動モータ５８、レンズ駆動モータ６０、絞り駆動モータ５６、ＣＣＤラインセンサ１１６等）を制御する。
【０１５４】
次に、高濃度読み取りモードを、図１１に示した高濃度読み取りモード処理ルーチンを参照しながら説明する。なお、以下は、１３５ＡＦＣを例にとり説明するが、他の場合も同様に処理する。
【０１５５】
図１１のステップ１７８で、光量不足分を算出する。即ち、セットアップ演算による補正量Ｄs 、プレスキャン時補正余裕量（光源絞り位置）Ｄy とすると、光量不足分Ｄｈは、Ｄｈ＝Ｄs −Ｄy となる。例えば、Ｄｓ＝０．７、Ｄｙ＝０．３とすると、不足分Ｄｈは
Ｄｈ＝Ｄｓ−Ｄｙ＝０．４となる。
【０１５６】
ステップ１８０で、搬送速度を算出する。即ち、通常モードにおける搬送速度ＣＳｆ＝３２．５ｍｍ／ｓｅｃとすると、必要な搬送速度ＣＳｋ１は、
0003668061.tif 000020
となる。そして、下記数値群より、ＣＳｋ１を超えない最大値（ｍｍ／ｓｅｃ）を選択する。
【０１５７】
３２．５／２４．７／１５／１０／７／５．５／３／２．５
この場合、ＣＳｋ＝１０ｍｍ／ｓｅｃとなる。
【０１５８】
ステップ１８２で、蓄積時間を算出する。即ち、フチ有りモードにおける蓄積時間ＥＴ＝０．４２２ｍｓｅｃとすると、必要な蓄積時間ＥＴｋは、
0003668061.tif 000021
となる。
【０１５９】
ステップ１８４で、上記算出した搬送速度で写真フィルムを搬送すると共に上記算出した蓄積時間で光量を蓄積しながら画像を読み取る。
【０１６０】
上記のようにして読み取られて得られた画像信号は、増幅器７６により増幅され、Ａ／Ｄ変換器８２によりディジタルデータ（画像データ）に変換される。
【０１６１】
上記画像データは、ＣＤＳ８８により、３本のラインＣＣＤ１１６相互の読み取った主走査方向のラインのずれ（所謂、色ずれ）が補正されて、インタフェース（Ｉ／Ｆ）回路９０を介して画像処理部１６に入力される。なお、画像処理部１６内の図示しない拡縮回路により、所定の画素数に変換され、最終的な画像データを得る。なお、この画像データを、本発明とは別の画像記録装置へ転送し、印画紙に画像を走査露光し、現像処理することにより、所望の写真プリントを得る。
【０１６２】
次に、上記色ずれの補正を詳細に説明する。図１９には、１３５ＡＦＣ、２４０ＡＦＣのプレスキャン（ＭＦＣのファインスキャン）の場合の配置が示されている。
【０１６３】
色ずれ補正をしない場合に得られる画像では、図２０に示すようになる。即ち、各色のずれ量Ｚは、以下の式となる。
Ｚ＝Ｌ÷（Ｖ×Ｍ）÷Ｔ
Ｚの小数点第１位を四捨五入したものをａ（ａは整数となる）、Ｚ−ａ＝ｂ（ｂは小数値となる）とする。
【０１６４】
前述したように、ＣＤＳ８８によりライン単位の補正を行う。ＣＤＳ８８で設定するライン補正量（Ｒ、Ｇ、Ｂ）は、表１５に示す通りである。
【０１６５】
【表１５】
0003668061.tif 000022
【０１６６】
これにより、図２１に示すように、Ｒの画像データの読取タイミングが２ａだけ遅れ、Ｇの画像データの読取タイミングがａだけ遅れる。
【０１６７】
次に、画像処理部１６内の図示しない拡縮回路により小数部の補正を行う。
【０１６８】
即ち、拡縮回路に設定する補正量は（Ｒ、Ｇ、Ｂ）は、表１６に示す通りである。
【０１６９】
【表１６】
0003668061.tif 000023
【０１７０】
なお、ハードウェアでは、1/16画素単位にした値をレジスタに設定している。
【０１７１】
これにより、図２２に示すように、Ｒの画像データの読取タイミングがｂだけ遅れ、Ｂの画像データの読取タイミングがｂだけ早まる。
【０１７２】
以上により、図２３に示すように色ずれが、1/16画素以内に補正される。
【０１７３】
ここで、スキャナ部で実施する色ずれ補正は、ハードウェアで行うが、その制約上Ｇ部補正は例えば２４ライン（Ｒ、Ｂは例えば４８ライン）より小さくならなければならない。つまり、ａ＜２４が成立しなければならない。これが成立しない場合には、成立するようにアルゴリズム又はハードウェアのスペックを修正する。
【０１７４】
次に、インデックスプリントについて説明する。インデックスプリントにおけるコマ画像のプリント倍率は、前述のフチ有りプリントと同様に処理する。但し、プリント倍率微調整やトリミングの概念はなく、常に、標準プリント倍率でプリントされる。また、主プリントのサイズやプリント倍率に影響を受けるものではない。
【０１７５】
例えば、１３５サイズの写真フィルムの場合
インデックスプリント上におけるコマ画像のサイズの短辺をＰX 、長辺をＰY とする。また、標準スキャン可能範囲は、２３．６mm×３４．８mmである。
【０１７６】
プリント倍率は、以下の式より求める。
ＭＡＸ（ＰY ／３４．８，ＰX ／２３．６）
また、インデックス用のプリント画像サイズを、主走査方向をＰＳih、副走行方向をＰＳivとする。インデックス用プリント画素数は、次式（小数点以下は切り捨て）となる。
ＰＰih＝ＰＳih÷Ｐ0 ＰＰiv＝ＰＳiv÷Ｐ0 
インデックス用プリント倍率をＭＰｉとする。主走査方向の切り出し画素数ＩＰihは、次式（小数点以下は切り捨て）になる。
ＩＰih＝ＰＳih÷ＭＰi×ＭＯ÷０．００８
副走査方向の切り出し画素数は、次式（小数点以下は切り捨て）になる。
ＩＰiv＝ＰＳiv÷ＭＰi÷ＣＳｋ÷ＲＣ
ここで、インデックス用の切り出し画素数が、主プリントの切り出し画素数より大きいときは、スキャナ部でインデックス用のサイズまでを切り出し、画像処理部で主プリントに必要なエリアだけをさらに切り出す。逆に、インデックス用の切り出し画素数が、主プリントの切り出し画素数より小さいときは、スキャナ部で主プリント用のサイズまでの切り出し、ＰＣ部のソフトでインデックス用のサイズまでを切り出す。
【０１７７】
次に、アルゴリズムの検証処理を説明する。このアルゴリズムの検証処理は、上記ファインスキャン条件に基づいて、写真フィルムの画像の読み取りが適正に完了するか否かを判断し、該読み取りが適正に完了しないと判断された場合にエラー表示するものである。なお、以下の検証処理は、所定時間毎に実施する。
［電子変倍率］
上記処理により算出された主走査方向及び副走査方向の電子変倍率と画質ＭＴＦとの間には、表１７に示す関係が成り立つ。
【０１７８】
【表１７】
0003668061.tif 000024
【０１７９】
本実施の形態では、上記関係を記憶しており、上記処理により算出された主走査方向及び副走査方向の電子変倍率と該記憶した関係に基づいて、要求される画質が達成できるか否かを判断し、要求される画質が達成できないと判断した場合には、要求される画質が達成できない向きのメッセージをディスプレイ１８に表示する。これにより、アルゴリズム又はハードウェアのスペックを修正することになる。
［メモリ容量］
図示しないプリンターに出力する画像データの画素数は、
主走査方向の出力画素数（ＯＰｈ）
＝主走査歩行の切り出し画素数（ＩＰｈ）×主走査方向の電子変倍率（ＭＥｈ）
副走査方向の出力画素数（ＯＰｖ）
＝副走査歩行の切り出し画素数（ＩＰｖ）×副走査方向の電子変倍率（ＭＥｖ）
となる。
【０１８０】
ＦＭに蓄積される画像データのサイズは、次式で求めることができる。
【０１８１】
0003668061.tif 000025
の大きいほう。
また、ＴＭに蓄積される画像データのサイズは、次式で求めることができる。
【０１８２】
0003668061.tif 000026
この値により、次の判定を行う。
【０１８３】
Ｓfm≦８Ｍ（８×１０２４×１０２４）でありかつＳtm≦８Ｍ
が成立するか否かを判断する。この関係が成立する場合には、ダブルバッファにより高速処理が可能である。この関係が成立しなければ、更に、
Ｓfm≦２０ＭでありかつＳtm≦１６Ｍが成立するか否かを判断する。この関係が成立する場合には、シングルバッファにより処理が可能である。この関係が成立しなければ、処理不能である。その旨、ディスプレイ１８に表示する。これにより、アルゴリズム又はハードウェアのスペックを修正することになる。
【０１８４】
また、インデックスプリント用の切り出し画素数が、主プリントの切り出し画素数より小さい場合、つまり、標準プリント倍率より高いプリントする場合であれば、最大のプリントサイズ（Ｗ４ツ）の場合、副走査方向の電子変倍率ＭＥｖとすると、
0003668061.tif 000027
であり、
ＭＥｖ＞０．６５５
であれば、処理不能とならない。しかし、標準プリント倍率より低い倍率で大サイズのプリントを行い、同時にインデックスプリントも生成すると、ＦＭ容量を超える場合が発生する。この場合は、エラーメッセージをディスプレイ１８に表示して、インデックスプリントと大サイズのプリントを分けて処理するようにする。
［画像処理時間］
１３５ＡＦＣ又は２４０ＡＦＣの場合、複数コマを連続して処理するためには、１コマ分の画像処理にかかる時間は、ソフトオーバーヘッドも含めて、１コマ分のスキャンに係る時間以下に収まることが必要である。
（１コマ画像処理時間）＋（ソフトオーバーヘッド）≦（１コマスキャン時間）
上記関係が成立しない場合は、１コマ毎に搬送が停止されることになる。
【０１８５】
１コマ画像処理時間は、次式で求めることができる。
（（主走査方向の出力画素数）＋（主走査パイプライン数））×
（（副走査方向の出力画素数）＋（副走査パイプライン数））÷
（画像処理速度）＝（ＯＰｈ＋２５０）×（ＯＰｖ＋４）÷４
ソフトオーバーヘッドは、０．２sec とする。
１コマスキャン時間は、次式で求める。
（コマ間ピッチ）÷（副走査速度）
上記関係が成立しないことにより、要求される処理能力が達成できない場合には、その旨をディスプレイ１８に表示する。これにより、アルゴリズム又はハードウェアのスペックを修正することになる。
【０１８６】
ところで、図２５（Ａ）に示すように、写真フィルムの画像を、読取周期Ｔの内の蓄積時間ｔで読み取るときに、読取周期Ｔに対する蓄積時間ｔの比が所定値（例えば、１／１６）より小さいと、読み取った画像がギザギザ画像（エリアジング）となる。即ち、例えば、図２５（Ａ）に示すように斜めに伸びる直線Ｌを、所定値より小さい上記比となるように読み取ると、各蓄積時間ｔにおいて読み取られた画像の部分は、Ｌ１、Ｌ２・・・となる。これをプリントとすると、図２５（Ｂ）に示すように、直線Ｌではなく、断続する画像Ｌ１、Ｌ２・・・として認識される。
【０１８７】
そこで、本実施の形態では、読取周期Ｔに対する蓄積時間ｔの比が所定値以上となるように設定している。即ち、光源絞りによる絞り量を強制的に所定値にし、又はＮＤフィルタにより光量を少なくし、これに応じて、蓄積時間ｔを長くして、上記比が所定値以上となるように設定している。
【０１８８】
なお、以上説明したターレット（図４（Ｂ）参照）に限定されず、図２６に示すように、赤光を吸収するシアンフィルタ用のターレット３６Ｃ、緑光を吸収するマゼンタフィルタ用のターレット３６Ｍ、及び青紫光を吸収するイエローフィルタ用のターレット３６Ｙにより構成してもよい。ターレット３６Ｃは、濃度の異なる複数のシアンフィルタ３６Ｃ１、３６Ｃ２、３６Ｃ３が嵌め込まれている。なお、シアンフィルタ３６Ｃ１、３６Ｃ２、３６Ｃ３の順に濃度が濃くなっている。その他のターレット３６Ｍ、３６Ｙも同様の構成となっている。そして、各ターレット３６Ｃ、３６Ｍ、３６Ｙは、各ターレットの選択されたフィルタ各々が光軸Ｌ上で重なるように、回転可能に支持されている。
【０１８９】
次に、本発明の第２の実施の形態を説明する。なお、本実施の形態の構成は、前述した第１の実施の形態の構成と同様であるので、同一の符号を付してその説明を省略するが、第１の実施の形態では詳しく説明しなかったが、図２７に示すように、画像処理部１６には、写真フィルムに記録された画像を読み取って得られた画像データを記憶する記憶媒体（メモリ）１６Ｍを備えている。なお、メモリ１６Ｍは、ハードディスクやＣＤ−Ｒ等で構成することができる。
【０１９０】
次に、本実施の形態の作用を説明する。
【０１９１】
本実施の形態では、後述するように、メモリ１６Ｍに記憶された画像データを用いて、写真フィルムに記録された画像をディスプレイに表示する。ディスプレイに画像を表示する際の解像度は複数種類あり、本実施の形態では、代表的な解像度として、ＶＧＡとＳＶＧＡとで画像を表示可能に構成されている。ＶＧＡは、６４０×４８０画素密度であり、ＳＶＧＡは、１２８０×１０２４画素密度である。なお、以上は代表的な解像度であり、これに限定されるものではない。更に、任意な解像度を設定してもよい。
【０１９２】
フィルムキャリア３８を装填し、装填されたフィルムキャリア３８に写真フィルム２２が挿入されると、フィルムキャリア３８の図示しない写真フィルム識別センサが写真フィルム２２を検知し、フィルムキャリア３８は、自動的に写真フィルム２２の搬送を開始する。
【０１９３】
これと同時に、ラインＣＣＤスキャナ１４は、図２８に示す画像読取処理ルーチンをスタートし、ステップ１１０で、画像サイズ及び解像度が設定されたか否かを判断する。
【０１９４】
ここで、ディスプレイ１８の初期画面には、複数の解像度（前述したように本実施の形態では、ＶＧＡとＳＶＧＡ）各々を表す情報と複数の画像のサイズ各々を表す情報が表示され、オペレータは、マウス又はキー入力により、表示された複数の解像度から所望の解像度を選択すると共に画像のサイズを選択する。このように、画像サイズ及び解像度が設定されると、実質的に、メモリ１６Ｍに記憶する画像データ量が設定されることになる。これにより、本ステップ２０２が肯定される。なお、上記の例では、ＶＧＡが選択された場合の画像データ量は、ＳＶＧＡが選択された場合の画像データ量より少ない。
【０１９５】
次のステップ２０４で、設定された画像サイズ及び解像度に対応する読取条件（光学倍率、レンズＦナンバ、読取画素数、蓄積時間、副走査速度、照射光量の少なくとも１つ）を設定する。画像データ量が少ない場合には、画像データ量が多い場合に比較して、相対的に、高精細に画像を読み取る必要はない。よって、ＶＧＡが選択された場合の読取条件は、ＳＶＧＡが選択された場合の読取条件より、低精細となる。本実施の形態では、ＶＧＡ及びＳＶＧＡ各々に対応して読取条件を記憶しており、本ステップ２０４では、設定された画像サイズ及び解像度に対応する読取条件を選択して設定する。
【０１９６】
ステップ２０６では、上記のように設定された読取条件で画像を読み取り、ステップ２０８で、上記読み取りにより得られた画像データを、メモリ１６Ｍに記憶する。
【０１９７】
なお、画像データを記憶する順番は、上記のように画像が読み取られた順番でもよく、並べ替えた順番でもよい。
【０１９８】
また、画像データの記憶フォーマットは、例えば、ＪＰＥＧでもよく、ＦＰＸでもよい。即ち、オペレータにより、ＪＰＥＧやＦＰＸが選択された場合には、上記メモリ１６Ｍに記憶する画像データ量として、更に、画像データを圧縮して記憶する場合の画像データ量や、画像データを少なくとも１つの縮小率又は少なくとも１つの拡大率で縮小又は拡大した画像データ量としてもよく、これに応じて読取条件を決定してもよい。
上記のように画像データを圧縮、縮小して記憶する場合には、画像データ量が少なくなるので、高精細に読み取る必要はないからであり、画像データを拡大して記憶する場合には、画像データ量が多くなるので、高精細で読み取る必要があるからである。
【０１９９】
以上説明したように、本実施の形態では、写真フィルムに記録された画像を読み取ってメモリに記憶するための予想される画像データ量に基づいて読取条件を算出するので、読取条件を適正なものにすることができ、画像を適正に読み取ることがてきる。
【０２００】
なお、本実施の形態では、メモリに記憶された画像データを用いて画像を表示しているが、本発明はこれに限定されるものではなく、当該画像データを用いてプリント処理してもよい。また、解像度が低い場合（ＶＧＡ）の画像データはモニター表示用に用い、解像度が高い場合（ＳＶＧＡ）の画像データはＬサイズプリントに用い、更に多い画像データ量の場合には、大のばしプリントに用いてもよい。
【０２０１】
【発明の効果】
以上説明したように本発明は、設定されたプリント倍率に基づいて写真感光材料の画像を読み取るための読取条件を算出し、算出された読取条件に従って前記写真感光材料の画像を読み取るので、プリント倍率に応じた適正な読取条件に従って前記写真感光材料の画像を読み取ることができる、という効果を有する。
【０２０２】
また、本発明は、写真感光材料に記録された画像を読み取って記憶手段に記憶するための予想される画像データ量に基づいて読取条件を算出するので、読取条件を適正なものにすることができ、画像を適正に読み取ることがてきる、という効果を有する。
【図面の簡単な説明】
【図１】ラインＣＣＤスキャナの外観図である。
【図２】ラインＣＣＤスキャナの光学系の正面断面図である。
【図３】ラインＣＣＤスキャナの光学系の側面断面図である。
【図４】（Ａ）は絞り、（Ｂ）はターレット、（Ｃ）はレンズ絞り、（Ｄ）はＣＣＤシャッタの一例を各々示す平面図である。
【図５】ラインＣＣＤスキャナの光学系の主要部のみを示した図である。
【図６】ラインＣＣＤスキャナの電気系の概略構成を示すブロック図である。
【図７】メイン制御ルーチンを示したフローチャートである。
【図８】プレスキャン処理ルーチンを示したフローチャートである。
【図９】ファインスキャン条件算出処理ルーチンを示したフローチャートである。
【図１０】フチ無しモード処理ルーチンを示したフローチャートである。
【図１１】高濃度読み取りモード処理ルーチンを示したフローチャートである。
【図１２】プレスキャン画像及びプレスキャン生データを示した概念図である。
【図１３】プレスキャンデータを示した概念図である。
【図１４】標準スキャン可能範囲を説明する説明図である。
【図１５】標準スキャン可能範囲とスキャンされる領域との関係を示した図である。
【図１６】フチ無しプリントとフチ有りプリントとを示した図である。
【図１７】フチ無しプリントにおける写る領域を示した図である。
【図１８】トリミング等に応じて変更されるスキャンされる領域を説明する説明図である。
【図１９】Ｒ、Ｇ、及びＢの各ＣＣＤラインセンサの配置図である。
【図２０】色ずれ補正をしていないときの各ＣＣＤラインセンサの画像データを示す概念図である。
【図２１】ライン単位に色ずれ量を補正する様子を示した図である。
【図２２】１画素より小さい色ずれ量を補正する様子を示した図である。
【図２３】色ずれ補正後の各ＣＣＤラインセンサの画像データを示す概念図である。
【図２４】インデックスプリントの画像データの概念図である。
【図２５】ギザギザ画像を説明する説明図である。
【図２６】ターレットの変形例を示す図である。
【図２７】第２の実施の形態に係るラインＣＣＤスキャナの電気系の概略構成を示すブロック図である。
【図２８】第２の実施の形態に係るラインＣＣＤスキャナの画像読取処理ルーチンを示すブロック図である。
【符号の説明】
１４    ラインＣＣＤスキャナ（画像読取装置）
２０    マウス（設定手段、入力手段）
１２Ｂ    キーボード（設定手段、入力手段）
２２    写真フィルム（写真感光材料）
３８    フィルムキャリア（搬送手段）
４６    マイクロプロセッサ（算出手段）
１１６    ラインＣＣＤ（読取手段）
【図１】
0003668061.tif 000028
【図２】
0003668061.tif 000029
【図３】
0003668061.tif 000030
【図４】
0003668061.tif 000031
【図５】
0003668061.tif 000032
【図６】
0003668061.tif 000033
【図７】
0003668061.tif 000034
【図８】
0003668061.tif 000035
【図９】
0003668061.tif 000036
【図１０】
0003668061.tif 000037
【図１１】
0003668061.tif 000038
【図１２】
0003668061.tif 000039
【図１３】
0003668061.tif 000040
【図１４】
0003668061.tif 000041
【図１５】
0003668061.tif 000042
【図１６】
0003668061.tif 000043
【図１７】
0003668061.tif 000044
【図１８】
0003668061.tif 000045
【図１９】
0003668061.tif 000046
【図２０】
0003668061.tif 000047
【図２１】
0003668061.tif 000048
【図２２】
0003668061.tif 000049
【図２３】
0003668061.tif 000050
【図２４】
0003668061.tif 000051
【図２５】
0003668061.tif 000052
【図２６】
0003668061.tif 000053
【図２７】
0003668061.tif 000054
【図２８】
0003668061.tif 000055